(57)【特許請求の範囲】
【請求項１】
外壁の目地溝内に目地材を介在させ、この目地材は、幅方向に伸縮自在な蛇腹状部の両側に一対の溝面接着片を有する一体の樹脂形成品であり、前記蛇腹状部は、両端がそれぞれ前記各溝面接着片の目地溝深さ方向となる前後幅方向の略中央に繋がり、前記一対の溝面接着片を、前記目地溝の両側の溝内面に、接着性の止水材で各々接着した外壁の目地構造。
【請求項２】
前記目地材は、前記蛇腹状部が軟質樹脂からなり、前記溝面接着片が硬質樹脂からなり、前記蛇腹状部は幅方向に広がり勝手の弾性を有するものである請求項１記載の外壁の目地構造。
【請求項３】
請求項１または請求項２において、前記目地材が、前記蛇腹状部および一対の溝面接着片を有する主部と、この主部の一端に位置する接合部とでなり、この接合部は、幅方向に伸縮自在な蛇腹状部の両側に一対の接着片を有する一体の樹脂形成品であり、前記接合部の接着片は目地溝深さ方向となる前後幅の寸法が前記主部の溝面接着片よりも狭く、前記接合部の蛇腹状部は前記主部における蛇腹状部に倣う形状であって、主部の蛇腹状部の表面に接着されかつ前記接合部の接着片は前記主部における溝面接着片の内面に接着され、長手方向に隣合う一対の目地材は、一方の主部の一端部の表面に、他方の目地材の前記接合部を重ねて接合して互いに両目地材の主部の端部は突き合わせた外壁の目地構造。
【請求項４】
幅方向に伸縮自在な蛇腹状部の両側に一対の溝面接着片を有する一体の樹脂形成品からなる目地材と、この目地材の前記溝面接着片に貼着されて止水材となる厚手の粘着テープとで構成され、前記目地材は、前記蛇腹状部が軟質樹脂からなり、前記溝面接着片が硬質樹脂からなり、前記蛇腹状部は幅方向に広がり勝手の弾性を有するものであり、前記蛇腹状部は、両端がそれぞれ前記各溝面接着片の目地溝深さ方向となる前後幅方向の略中央に繋がる止水材付き目地材。
【請求項５】
縦目地となる目地溝と横目地となる目地溝の交差部に、十字形の役物を介在させ、この役物は十字状の交差部目地材と止水材とでなり、前記交差部目地材は、互いに４方に延びるアーム部が、各々幅方向に伸縮自在な蛇腹状部と、この蛇腹状部の両側に設けられた一対の溝面接着片とでなる一体の樹脂成形品であって、各アーム部の蛇腹状部は基端で互いに一体に続くものであり、前記止水材は、前記溝面接着片に接着された厚手の粘着テープであり、縦横の各目地溝に請求項４に記載の止水材付き目地材を介在させ、これら止水材付き目地材を、前記役物の各アーム部に接合した外壁の目地構造。
【発明の詳細な説明】
【０００１】
【発明の属する技術分野】
この発明は、外壁の面材間に形成される目地に乾式目地工法で施される外壁の目地構造および目地材に関する。
【０００２】
【従来の技術】
従来、図８や図９に示すように、一対の外壁パネル３１，３１間の外壁材３２，３２間に形成される目地３３を乾式目地工法により水密処理する場合には、目地３３に嵌合するゴム状弾性体からなる目地材３４が用いられている。この目地材３４の両側面には複数の弾性ひれ部３４ａが一体に形成され、この弾性ひれ部３４ａが目地３３の両側面に圧接することにより、止水が図られる。
【０００３】
【発明が解決しようとする課題】
しかし、前記形状の目地材３４による水密処理では、次に挙げる各種の問題点がある。すなわち、ａ．外壁施工後の目地幅にばらつきがあったり、経年変化で目地幅が変化したりすると、十分に水密処理できない場合が生じる。ｂ．目地３３の両側面に目地材３４の弾性ひれ部３４ａを圧接して止水するので、止水が完全ではない。ｃ．目地材３４の経年変化により、その弾性ひれ部３４ａに弾力劣化や形状固定等が生じることでも、止水が不完全になる。ｄ．縦目地と横目地の取り合いで、完全な止水を行うことが困難である。ｅ．目地材３４の幅方向への伸縮性には限度があるので、目地幅の狭い目地３３に嵌合させる場合、施工が困難である。
【０００４】
この発明は、このような課題を解消し、目地幅のばらつきや、経年変化に左右されることなく、優れた止水性が得られるように乾式目地工法で施工きる外壁の目地構造および目地材を提供することを目的とする。
【０００５】
【課題を解決するための手段】
この発明の第１の発明の外壁の目地構造は、外壁の目地溝内に目地材を介在させたものである。前記目地材は、幅方向に伸縮自在な蛇腹状部の両側に一対の溝面接着片を有する一体の樹脂形成品であり、前記蛇腹状部は、両端がそれぞれ前記各溝面接着片の目地溝深さ方向となる前後幅方向の略中央に繋がり、前記一対の溝面接着片を、前記目地溝の両側の溝内面に、接着性の止水材で各々接着する。
この構成によれば、目地材の一対の溝面接着片を、接着性の止水材で目地溝の両側の溝面内に接着して、目地材の蛇腹状部で目地溝を被覆するので、目地幅のばらつきや、経年変化に左右されることなく、優れた止水性が得られる。
【０００６】
上記構成において、前記目地材は、前記蛇腹状部が軟質樹脂からなり、前記溝面接着片が硬質樹脂からなり、前記蛇腹状部は幅方向に広がり勝手の弾性を有するものとしても良い。このような軟質樹脂および硬質樹脂を用いた目地材は、いわゆる２色成形等で一体に成形できる。この構成の場合、目地材の蛇腹状部が軟質樹脂からなり、また幅方向に広がり勝手を有するので、目地幅の異なる多種類の目地に対応できる。また、目地材の溝面接着片が硬質樹脂からなるので、柔らか過ぎて局部的な撓みにより目地溝内面との間に隙間が生じるようなことがなく、目地溝の両側の溝面内への接着を止水性良く行うことができる。また、施工性が良い。
また、前記接着性の止水材は、前記溝面接着片に貼着された厚手の粘着テープとしても良い。厚手の粘着テープには、例えばブチルテープが使用できる。この構成の場合、接着剤の塗布等の作業を要することなく、目地溝の両側の溝面内への溝面接着片の接着を簡単に行うことができる。厚手のため、溝面の凹凸が吸収され、密着性が優れる。
また、上記構成において、前記目地材を接続する場合、次の構成としても良い。すわなち、前記目地材が、前記蛇腹状部および一対の溝面接着片を有する主部と、この主部の一端に位置する接合部とでなり、この接合部は、幅方向に伸縮自在な蛇腹状部の両側に一対の接着片を有する一体の樹脂形成品であり、前記接合部の接着片は目地溝深さ方向となる前後幅の寸法が前記主部の溝面接着片よりも狭く、前記接合部の蛇腹状部は前記主部における蛇腹状部に倣う形状であって、主部の蛇腹状部の表面に接着されかつ前記接合部の接着片は前記主部における溝面接着片の内面に接着され、長手方向に隣合う一対の目地材は、一方の主部の一端部の表面に、他方の目地材の前記接合部を重ねて接合して互いに両目地材の主部の端部は突き合わせる。
【０００７】
この発明の止水材付き目地材は、幅方向に伸縮自在な蛇腹状部の両側に一対の溝面接着片を有する一体の樹脂形成品からなる目地材と、この目地材の前記溝面接着片に貼着されて止水材となる厚手の粘着テープとで構成される。前記目地材は、前記蛇腹状部が軟質樹脂からなり、前記溝面接着片が硬質樹脂からなり、前記蛇腹状部は幅方向に広がり勝手の弾性を有する。
この構成によれば、目地材の一対の溝面接着片を、止水材となる粘着テープを介して目地溝の両側の溝面内に接着することにより、目地材の蛇腹状部で目地溝を被覆できる。そのため、目地幅のばらつきや、経年変化に左右されることなく、優れた止水性が得られ、目地幅の異なる多種類の目地にも対応できる。
【０００８】
この発明の第２の発明の外壁の目地構造は、縦目地となる目地溝と横目地となる目地溝の交差部に、十字形の役物を介在させる。この役物は十字状の交差部目地材と止水材とでなる。前記交差部目地材は、互いに４方に延びるアーム部が、各々幅方向に伸縮自在な蛇腹状部と、この蛇腹状部の両側に設けられた一対の溝面接着片とでなる一体の樹脂成形品である。各アーム部の蛇腹状部は基端で互いに一体に続くものである。前記止水材は、前記溝面接着片に接着された厚手の粘着テープである。縦横の各目地溝には、この発明の請求項４に記載の止水材付き目地材を介在させ、これら止水材付き目地材を、前記役物の各アーム部に接合する。
この構成によれば、外壁の縦目地、横目地、および両目地の交差部の全てにつき、目地幅のばらつきや、経年変化に左右されることなく、優れた止水性が得られ、また目地幅の異なる多種類の目地にも対応できる。
【０００９】
【発明の実施の形態】
この発明の一実施形態を図１ないし図４と共に説明する。この外壁の目地構造は、図１に示すように、一対の隣接する外壁パネル１，１間の目地溝２に適用される。各外壁パネル１は、パネルフレーム３の屋外面に、各々外壁面材である外壁下地材４および外壁材５を貼付けたものである。各外壁パネル１のパネルフレーム３は角パイプ等からなる柱６に取付けられる。外壁下地材４は耐水合板等からなり、外壁材５にはセメント板やスレート板等が用いられる。
【００１０】
目地溝２内には止水材付き目地材７を介在させる。この止水材付き目地材７は、幅方向に伸縮自在な蛇腹状部９の両側に一対の溝面接着片１０，１０を有する一体の樹脂成形品からなる目地材８と、前記各溝面接着片１０に貼着された接着性の止水材１１とで構成される。目地材８の蛇腹状部９は軟質樹脂からなり、前記溝面接着片１０は硬質樹脂からなり、蛇腹状部９は幅方向に広がり勝手の弾性を有するものとしてある。
【００１１】
止水材１１は、目地材８の各溝面接着片１０の外側面に貼着されており、この止水材１１を介して、目地材８の両溝面接着片１０が、目地溝２の両側の溝内面に接着される。止水材１１としては、例えばブチル樹脂等からなる厚手の粘着テープの両面を離型紙で被覆したいわゆる両面テープが用いられ、その片面の離型紙を剥離して溝面接着片１０の外側面に貼着される。また、溝面接着片１０を目地溝２内の対応する溝内面に接着する作業では、止水材１１の残る片面の離型紙を剥離させない状態のままで、目地材７を両溝面接着片１０が対応する溝内面に対向するように目地溝２内に挿入させた後で、止水材１１の残る離型紙を剥離し、その止水材１１を溝内面に接着させる。このように、止水材１１の離型紙を剥離せずに、目地材７を目地溝２内に挿入することで、挿入途中に止水材１１が他の部分に接着するといった不具合を起こすことなく、目地材７の挿入が円滑になり、接着剤を塗布するといった作業も不要なので、乾式目地施工を容易に行うことがきる。
【００１２】
図２に示すように、止水材付き目地材７の一端部は、主部７Ａに比べて幅寸法が若干短い接合部７Ｂとされている。図３（Ａ）は主部７Ａの断面図を示し、図３（Ｂ）は接合部７Ｂの断面図を示す。接合部７Ｂは、幅方向に伸縮自在な蛇腹状部９Ｂの両側に一対の接着片１０Ｂ，１０Ｂを有する一体の樹脂成形品からなる。蛇腹状部９Ｂは、目地材主部７Ａの蛇腹状部９と同じ軟質樹脂からなる。接着片１０Ｂは、目地材主部７Ａの溝面接着片１０と同じ硬質樹脂からなり、その蛇腹状部９Ｂは目地材主部７Ａの蛇腹状部９に倣う形状とされている。この接合部７Ｂはその長手方向の一部が、止水材１１と同じ両面テープからなる接着性の止水材１２で、図４に斜視図で示すように、目地材主部７Ａの一端部表面に接着される。すなわち、接合部７Ｂの裏面には止水材１２が貼着されており、接合部７Ｂの両接着片１０Ｂは目地材主部７Ａの対応する溝面接着片１０の内面に、接合部７Ｂの蛇腹状部９Ｂは主部７Ａの蛇腹状部９の表面に、止水材１２を介してそれぞれ接着される。
【００１３】
２つの止水材付き目地材７を接合する場合、一方の目地材７の主部７Ａの一端部の表面に、他方の目地材７の接合部７Ｂを重ねることで、これら両目地材７を、接合部７Ｂの裏面の止水材１２を介して接着する。これにより、両目地材７の主部７Ａの端部が互いに突き合わされ、前記接合部７Ｂが両主部７Ａに跨がった状態に、両目地材７を接合できる。なお接合部７Ｂは、目地材７と別体として、２つの目地材７を接合するときに、両目地材７に接合部７Ｂが跨がるように、両目地材７に接着させるようにしても良い。
【００１４】
図５は、外壁の縦目地となる目地溝と横目地となる目地溝の交差部に介在させる十字形の役物１７の平面図を示す。この役物１７は、十字状の交差部目地材１８と止水材２１とからなる。交差部目地材１８は、互いに４方に延びるアーム部２２Ａ〜２２Ｄが、各々幅方向に伸縮自在な蛇腹状部１９と、この蛇腹状部１９の両側に設けられた一対の溝面接着片２０，２０とでなる一体の樹脂成形品である。各アーム部２２Ａ〜２２Ｄの蛇腹状部１９は基端で互いに一体に続き、各アーム部２２Ａ〜２２Ｄの一対の溝面接着片２０，２０も基端で互いに一体に続くように形成されている。蛇腹状部１９および溝面接着片２０の形状や材質は、図１〜図４に示す止水材付き目地材７と同じである。止水材２１も、図１〜図４に示す止水材付き目地材７の止水材１１と同でである。各アーム部２２Ａ〜２２Ｄのうち、上向きのアーム部２２Ａの端部は、図１〜図４に示す止水材付き目地材７の主部７Ａと同様の構造とされており、他のアーム部２２Ｂ〜２２Ｄの端部には、図１〜図４に示す止水材付き目地材７の接合部７Ｂと同様の構造の接合部２３が形成されている。
【００１５】
前記役物１７は、外壁の縦目地となる目地溝と横目地となる目地溝の交差部の各溝内面に、止水材２１を介して前記各アーム部２２Ａ〜２２Ｄの溝面接着片２０を接着させることにより、図１の目地構造と同様に前記交差部を水密処理できる。この役物１７の上向きアーム部２２Ａへの目地材７（図２）の接合は、その目地材７の接合部７Ｂを、図６に示すように、上向きアーム部２２Ａの端部の表面に重ねて接着させることにより行う。これにより、上向きアーム部２２Ａと目地材７との接合部から、目地溝２内へ雨水が浸入するのを確実に防止できる。他のアーム部２２Ｂ〜２２Ｄへの目地材７の接合は、目地材７の主部７Ａの端部の表面にアーム部２２Ｂ〜２２Ｄの接合部２３を重ねて接着させることにより行う。これにより、例えば下向きアーム部Ｄと目地材７との接合部から、目地溝２内へ雨水が浸入するのを確実に防止できる。
【００１６】
なお、前記実施形態では、目地材８や交差部目地材１８の蛇腹状部９，１９を断面アコーデオン状としたが、これに限らず、例えば図７に示すように、断面Ｕ字形として目地材幅方向に伸縮自在としても良い。
【００１７】
【発明の効果】
この発明の外壁の目地構造は、外壁の目地溝内に目地材を介在させ、この目地材が、幅方向に伸縮自在な蛇腹状部の両側に一対の溝面接着片を有する一体の樹脂形成品であり、前記蛇腹状部は、両端がそれぞれ前記各溝面接着片の目地溝深さ方向となる前後幅方向の略中央に繋がり、前記一対の溝面接着片を、前記目地溝の両側の溝内面に、接着性の止水材で各々接着したため、目地幅のばらつきや、経年変化に左右されることなく、乾式目地施工により優れた止水性が得られる。
目地材の前記蛇腹状部が軟質樹脂からなり、前記溝面接着片が硬質樹脂からなり、前記蛇腹状部が幅方向に広がり勝手の弾性を有するものとした場合は、目地幅の異なる多種類の目地に対応できると共に、目地溝の両側の溝面内への接着も止水性良く行うことができる。
この発明の止水材付き目地材は、幅方向に伸縮自在な蛇腹状部の両側に一対の溝面接着片を有する一体の樹脂形成品からなる目地材と、この目地材の前記溝面接着片に貼着されて止水材となる厚手の粘着テープとで構成され、前記目地材は、前記蛇腹状部が軟質樹脂からなり、前記溝面接着片が硬質樹脂からなり、前記蛇腹状部は幅方向に広がり勝手の弾性を有するものであり、前記蛇腹状部は、両端がそれぞれ前記各溝面接着片の目地溝深さ方向となる前後幅方向の略中央に繋がるため、目地幅のばらつきや、経年変化に左右されることなく、優れた止水性が得られるように外壁の目地を乾式目地施工でき、目地幅の異なる多種類の目地にも対応できる。
この発明の外壁の目地交差部の目地構造は、縦目地となる目地溝と横目地となる目地溝の交差部に、十字形の役物を介在させ、この役物が十字状の交差部目地材と止水材とでなり、前記交差部目地材は、互いに４方に延びるアーム部が、各々幅方向に伸縮自在な蛇腹状部と、この蛇腹状部の両側に設けられた一対の溝面接着片とでなる一体の樹脂成形品であって、各アーム部の蛇腹状部は基端で互いに一体に続くものであり、前記止水材は、前記溝面接着片に接着された厚手の粘着テープであり、縦横の各目地溝にこの発明の前記構成の止水材付き目地材を介在させ、これら止水材付き目地材を、前記役物の各アーム部に接合したため、外壁の縦目地、横目地およびこれら両目地の交差部のすべてを、目地幅のばらつきや、経年変化に左右されることなく、優れた止水性が得られるように乾式目地施工でき、目地幅の異なる多種類の目地にも対応できる。
【図面の簡単な説明】
【図１】この発明の一実施形態を示す水平断面図である。
【図２】同実施形態における止水材付き目地材の平面図である。
【図３】（Ａ）は前記止水材付き目地材の主部の断面図、（Ｂ）は同止水材付き目地材の接合部の断面図である。
【図４】同止水材付き目地材の斜視図である。
【図５】目地交差部に用いる役物の平面図である
【図６】同役物を用いた外壁の目地構造の正面図である。
【図７】止水材付き目地材の他の例を示す水平断面図である。
【図８】従来例の水平断面図である。
【図９】他の従来例の水平断面図である。
【符号の説明】
１…外壁パネル
２…目地溝
７…止水材付き目地材
８…目地材
９…蛇腹状部
１０…溝面接着片
１１…止水材
１７…役物
１８…交差部目地材
１９…蛇腹状部
２０…溝面接着片
２１…止水材
２２Ａ〜２２Ｄ…アーム部
２３…接合部
【図１】
0004363738.tif 000002
【図２】
0004363738.tif 000003
【図３】
0004363738.tif 000004
【図４】
0004363738.tif 000005
【図５】
0004363738.tif 000006
【図６】
0004363738.tif 000007
【図７】
0004363738.tif 000008
【図８】
0004363738.tif 000009
【図９】
0004363738.tif 000010